【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
体腔の小孔を確認するための装置であって、
基端と、体腔に導入する大きさの末端と、基端および末端の間で伸びる内腔とを備える管状部と、
前記末端部が前記管状部末端を超えて前進するように、前記内腔の中に配置される末端部を備える細長い部位と、
前記末端部の膨張可能ループとを備え、
前記ループは、
前記末端部に固定される第１および第２の端部と、
第１および第２の端部それぞれから伸びる第１および第２の弾力支柱と、
前記第１および第２の支柱の間を伸びる湾曲した中間領域とを備え、
前記ループは、前記末端部が前記内腔に配置された場合、弾性的に収縮状態に圧縮可能であり、前記末端部が前記管状部末端を超えて前進した場合、膨張状態に弾性的に膨張可能である装置。
【請求項２】
前記中間領域は、ループが膨張状態に膨張する場合、弓形形状に膨張する請求項１の装置。
【請求項３】
前記弓形形状が前記末端部を囲む楕円の一部を形成する請求項２の装置。
【請求項４】
前記第１および第２の支柱は、前記ループが膨張状態に膨張した場合、前記末端部から側方に伸びる請求項１の装置。
【請求項５】
前記第１および第２の支柱は、前記ループが膨張状態に膨脹した場合、前記末端部から末端側に伸びる請求項４の装置。
【請求項６】
さらに、前記第１および第２の端部に隣接する前記末端部に管状の人工器官を備え、
前記第１および第２の支柱は、前記ループが膨脹状態に膨脹する場合、人工器官部の上に伸びる請求項５の装置。
【請求項７】
前記ループは膨脹状態で実質的に平面を形成し、前記平面は前記管状部の長軸に対して鋭角を形成する請求項１の装置。
【請求項８】
前記ループは、前記第１および第２の末端から離れて配置される外方先端を備え、前記外方先端は前記平面から伸びる請求項７の装置。
【請求項９】
前記管状部の前記末端部に１つのループが備えられる請求項１の装置。
【請求項１０】
前記膨張可能ループが複数の膨張可能ループを備える請求項１の装置。
【請求項１１】
前記複数の膨張可能ループが前記管状部の外周に沿って対称的に配置される請求項１０の装置。
【請求項１２】
前記複数の膨張可能ループが前記末端部を囲む楕円部分を概ね形成する湾曲中間領域を備える請求項１１の装置。
【請求項１３】
前記ループは、前記膨脹状態において実質的に「Ｄ」形状を形成する請求項１の装置。
【請求項１４】
前記ループは、膨脹状態において概ね湾曲形状を形成し、前記管状部の長軸に対して側方に伸びる表面を形成する請求項１の装置。
【請求項１５】
前記ループは互いに巻かれ、前記第１および第２の端部の間に伸びる複数のワイヤを備え請求項１の装置。
【請求項１６】
前記ループは膨脹状態で湾曲したバナナの皮の形状である請求項１の装置。
【請求項１７】
前記ループは前記膨脹状態において前記管状部の長軸に対して非対称にねじれられる請求項１の装置。
【請求項１８】
前記ループは前記膨脹状態において概ね平面を形成し、前記平面から伸びる垂直軸が前記管状部の前記長軸と実質的に平行に伸びない請求項１７の装置。
【請求項１９】
前記第１の支柱が前記膨脹状態において前記第２の支柱より軸方向に伸びる請求項１７の装置。
【請求項２０】
前記第１の支柱は前記第２の支柱より短い長さを有する請求項１７の装置。
【請求項２１】
前記支柱は、前記ループが膨脹状態に膨脹する場合、前記中間領域が小孔に接触するとき触感フィードバックを提供するように弾性的に湾曲可能である請求項１の装置。
【請求項２２】
前記支柱は、前記ループが収縮状態である場合、軸方向に伸びる請求項１の装置。
【請求項２３】
前記中間領域は、前記ループが収縮状態である場合、蛇行形状である請求項２２の装置。
【請求項２４】
前記ループは少なくとも１つの線細工バネおよびスロットが設けられた管を備える請求項１の装置。
【請求項２５】
体腔の小孔を確認する装置であって、
基端と、体腔に導入する大きさの末端と、基端および末端の間で伸びる内腔とを備える管状部と、
前記末端部が前記管状部末端を超えて前進するように、前記内腔の中に配置される末端部を備える細長い部位と、
前記末端部の複数の膨張可能ループとを備え、
各ループは、
前記末端部から伸びる第１および第２の弾力支柱と、
前記第１および第２の弾力支柱の間に伸びる湾曲中間領域とを備え、
各ループは、前記末端部が前記内腔内に配置される場合、弾性的に収縮状態に圧縮可能であり、前記末端部が前記管状部末端を超えて前進した場合、膨張状態に弾性的に膨張可能であり、
前記複数のループは、前記ループが前記膨脹状態である場合、前記中間領域が前記末端部を囲む楕円の少なくとも一部を形成するように前記末端部の周囲に配置される装置。
【請求項２６】
前記第１および第２の支柱は、前記ループが前記膨脹状態に伸びる場合、前記末端部から側方に伸びる請求項２５の装置。
【請求項２７】
前記第１および第２の支柱は、前記ループが前記膨脹状態に伸びる場合、前記末端部から末端側に伸びる請求項２６の装置。
【請求項２８】
さらに前記複数のループに隣接する前記末端部に管状の人工器官を備え、
前記第１および第２の支柱は、前記ループが膨脹状態に膨脹する場合、人工器官部の上に伸びる請求項２７の装置。
【請求項２９】
前記支柱は、前記ループが膨脹状態に膨脹する時、前記中間領域が小孔に接触するとき触感フィードバックを提供するように弾性的に湾曲可能である請求項２５の装置。
【請求項３０】
前記ループが収縮状態である場合、前記支柱が軸方向に伸びる請求項２５の装置。
【請求項３１】
前記中間領域は、前記ループが収縮状態である場合、蛇行形状である請求項３０の装置。
【請求項３２】
前記ループは少なくとも１つの線細工バネおよびスロットが設けられた管を備える請求項２５の装置。
【請求項３３】
体腔の小孔を確認する装置であって、
基端と、体腔に導入する大きさの末端と、基端および末端の間で伸びる内腔と、末端部とを備える管状部と、
前記末端部に対称的に配置される１つ以上の位置付け部と、
前記末端部にステントとを備え、
前記各位置付け部は、前記末端部に固定される第１端部と前記末端部から自由な第２端部を備え、各位置付け部は、配置装置から完全に展開された場合、膨脹状態に弾性的に膨張可能である装置。
【請求項３４】
前記末端部に１つの位置付け部を備え、前記位置付け部は、前記膨脹状態において前記末端部から側方に伸びる請求項３３の装置。
【請求項３５】
前記１つ以上の位置付け部は複数の位置付け部を備え、前記複数の位置付け部は前記管状部の外周の一部にのみ沿って互いに隣接して配置される請求項３３の装置。
【請求項３６】
前記複数の位置付け部は、前記末端部の一部に沿って伸びる楕円の一部のみをともに形成する外部湾曲部を備える請求項３５の装置。
【請求項３７】
前記１つ以上の位置付け部は１つ以上のワイヤループを備える請求項３３の装置。
【請求項３８】
体腔の小孔を確認する装置であって、
基端と、体腔に導入する大きさの末端と、基端および末端の間で伸びる内腔と、末端部とを備える管状部と、
前記末端部が配置装置の内腔に配置される場合、弾性的に収縮状態に収縮可能であり、前記配置装置から完全に展開された場合、弾性的に膨脹状態に膨脹可能である前記末端部の位置付けループとを備え、
前記位置付けループは、
前記膨脹状態において前記管状部の前記末端部を実質的に囲むループと、
前記ループと前記管状部に前記位置付けループを取り付けるための前記末端部との間で伸びる複数の支柱とを備える装置。
【請求項３９】
前記支柱は前記管状部に近い内方部と前記ループに近い外方部とを備え、
前記内方部は前記外方部より堅い請求項３８の装置。
【請求項４０】
前記内方部は、前記外方部より大きい少なくとも１つの幅および厚さを有する請求項３９の装置。
【請求項４１】
さらに隣接する支柱間の前記支柱の中間領域で伸びる１つ以上の支持部を備える請求項３８の装置。
【請求項４２】
前記位置付けループは、前記管状部の前記末端部に取り付ける基体を備え、前記支柱は前記基体から伸びる請求項３８の装置。
【請求項４３】
前記基体および前記支柱は単一の管状体からなる請求項４２の装置。
【請求項４４】
前記ループは前記単一の管状体からなる請求項４３の装置。
【請求項４５】
前記ループは前記収縮状態において蛇行形状を形成し、前記ループは前記配置装置から展開された場合に前記蛇行形状から前記膨脹状態に弾性的に膨脹するように熱処理される請求項４３の装置。
【請求項４６】
前記ループが、前記単一の管状体に取り付けられる１つ以上のワイヤから形成される請求項４３の装置。